(57)【要約】【課題】異なる複数のシステムのアプリケーションを１つの端末機器上の統合プラットホームにて簡単に起動する。【解決手段】携帯端末システム１０６は、携帯可能なモバイルコンピュータから構成され、情報処理部１１０、情報表示部１１２、情報入力部１１３、情報格納部１１４、無線通信Ｉ／Ｆ１１５、アプリケーション検知ファイル格納部１１６が構築されいる。情報処理部１１０では、機器集中制御アプリケーション１２０、コスト算出アプリケーション１２１、手術履歴アプリケーション１２２、ネット接続アプリケーション１２３が起動可能となっている。情報処理部１１０は、起動するアプリケーションソフトウエアを検知するアプリケーション検知部１２４を有している。【選択図】図５
2007080094.tif 000002
【特許請求の範囲】
【請求項１】
複数種類のアプリケーションソフトウエアを有する複数のシステム機器と、
前記システム機器と交信し前記アプリケーションソフトウエアを選択的に起動するアプリケーション起動装置と
を有し、
前記システム機器及び前記アプリケーション起動装置は、
前記アプリケーションソフトウエアを検知するための共通プロファイルを有する検知ファイルを格納した検知ファイル格納部と、
前記検知ファイルを検知し前記アプリケーションソフトウエアを検知するアプリケーション検知手段と
を備えている
ことを特徴とするアプリケーション起動管理システム。
【請求項２】
前記複数種類のアプリケーションソフトウエアは、手術に関するアプリケーションソフトウエアであって、前記手術で使用される医療機器を制御する機器集中制御アプリケーションを含む
ことを特徴とする請求項１に記載のアプリケーション起動管理システム。
【請求項３】
前記複数種類のアプリケーションソフトウエアは、手術に関するアプリケーションソフトウエアであって、前記手術の手技の費用等を算出するコスト算出アプリケーションを含む
ことを特徴とする請求項１または２に記載のアプリケーション起動管理システム。
【請求項４】
前記複数種類のアプリケーションソフトウエアは、手術に関するアプリケーションソフトウエアであって、前記手術で使用される医療機器の操作履歴等を管理する手術履歴アプリケーションを含む
ことを特徴とする請求項１、２または３に記載のアプリケーション起動管理システム。
【請求項５】
前記複数種類のアプリケーションソフトウエアは、手術に関するアプリケーションソフトウエアであって、前記手術の対象者の患者情報をシステム間で連携させる患者情報連携アプリケーションを含む
ことを特徴とする請求項１、２、３または４に記載のアプリケーション起動管理システム。
【請求項６】
前記共通プロファイルは、前記アプリケーションソフトウエアを識別するための識別情報を有する
ことを特徴とする請求項１、２、３、４または５に記載のアプリケーション起動管理システム。
【発明の詳細な説明】
【技術分野】
【０００１】
本発明は、複数のシステムに内在するアプリケーションを起動させるアプリケーション起動管理システムに関する。
【背景技術】
【０００２】
近年では内視鏡を用いた外科手術が行われている。この内視鏡外科手術では、腹腔内を膨張させるために用いる気腹装置や手技を行うための処置装置等を用いて、ある生体組織の切除をしたり、または高周波焼灼装置を用いて止血をしたりする場合、内視鏡で観察しながらこれらの処置を行うことができる。
【０００３】
また、これら複数の各種機器を備えた内視鏡手術システムにおいて、複数の装置を容易に操作、制御することができ、またシステムの操作力性を向上させるため、例えば、表示パネル、遠隔操作装置、集中操作パネル、マイク等の機器を備えている（例えば、特許文献１）。
【０００４】
表示パネルは、術者が滅菌域で各種機器の設定状態を確認するための表示手段であって、例えば液晶パネルなどである。遠隔操作装置は、術者が滅菌域で操作し各種機器の機能または設定値を変更するための遠隔操作手段であって、例えばリモコン（リモートコントローラ）である。集中操作パネルは、術者の指示に従って看護師等の補助者が非滅菌域で操作し各種機器の機能または設定値を変更するための各機器の操作スイッチをタッチパネルに設けたものである。マイクは、音声で各種機器を操作するために用いられる（例えば、特許文献２）。
【０００５】
上記の通り、最近では、音声認識によりユーザの発音を認識し、接続機器の操作を行う機能（音声コマンド制御機能）や、術中・検査中に術者が発音した所見内容を音声認識しテキストデータに変換し電子カルテ等の作成に役立てるディクテーション機能を備える内視鏡システムが存在する。
【０００６】
一方、病院等の医療施設においては、手術室等に上記の内視鏡手術システムの他に手術の過程を記録したり、手技に関するデータを表示したりすることのできる医療情報システムが併設されることがある。また、検査室等には検査に関する情報や、検査、手技の履歴に基づき医療費用を算出するコスト算出システム等が設けられている。さらにはこれらシステムを院内ＬＡＮ等で接続すると共に、外部システムと通信を可能とするネットワーク管理システムが設置されることもある。
【０００７】
１つの手術が実施される際は、それぞれのシステムで適切なアプリケーション、例えば、手技に使用される機器を集中的に制御する機器集中制御アプリケーション、手技履歴を管理する手技管理アプリケーション、手技、検査等の費用を算出するコスト算出アプリケーション等が起動される。
【特許文献１】特開２００２−３３６１８４号公報
【特許文献２】特開２００２−３０６５０９号公報
【発明の開示】
【発明が解決しようとする課題】
【０００８】
しかしながら、従来は、上記の各システムはそれぞれ独立したシステムであるため、各システムにおいてアプリケーションを起動するには、それぞれのシステムに専用の端末機器が必要となり、これら端末機器をリモコン等の携帯端末で構成したとしても、複数の携帯端末を持ち歩く必要があるといった問題がある。
【０００９】
本発明は、上記事情に鑑みてなされたものであり、異なる複数のシステムのアプリケーションを１つの端末機器上の統合プラットホームにて簡単に起動することのできるアプリケーション起動管理システムを提供することを目的としている。
【課題を解決するための手段】
【００１０】
本発明のアプリケーション起動管理システムは、
複数種類のアプリケーションソフトウエアを有する複数のシステム機器と、
前記システム機器と交信し前記アプリケーションソフトウエアを選択的に起動するアプリケーション起動装置と
を有し、
前記システム機器及び前記アプリケーション起動装置は、
前記アプリケーションソフトウエアを検知するための共通プロファイルを有する検知ファイルを格納した検知ファイル格納部と、
前記検知ファイルを検知し前記アプリケーションソフトウエアを検知するアプリケーション検知手段と
を備えて構成される。
【発明の効果】
【００１１】
本発明によれば、異なる複数のシステムのアプリケーションを１つの端末機器上の統合プラットホームにて簡単に起動することができるという効果がある。
【発明を実施するための最良の形態】
【００１２】
以下、図面を参照しながら本発明の実施例について述べる。
【実施例１】
【００１３】
図１ないし図１８は本発明の実施例１に係わり、図１は院内管理システムの構成を示す構成図、図２は図１の携帯端末システムの各システムとの無線通信エリアを説明する図、図３は図２の医療機器制御システムの構成を示す構成図、図４は図３の医療機器制御システムの各機器の接続関係を示すブロック図、図５は図１の携帯端末システムの構成を示すブロック図、図６は図１の手術管理システムの構成を示すブロック図、図７は図１の検査管理システムの構成を示すブロック図、図８は図１のネットワーク管理システムの構成を示すブロック図、図９は図５の機器集中制御用検知ファイルの構成を示す図、図１０は図５の手術履歴用検知ファイルの構成を示す図、図１１は図５のコスト算出用検知ファイルの構成を示す図、図１２は図５のネット接続用検知ファイルの構成を示す図、図１３は図６の手術管理システムの作用を説明するフローチャート、図１４は図１３の専用プロトコル処理の流れを示す第１の図、図１５は図１３の専用プロトコル処理の流れを示す第２の図、図１６は図５の携帯端末システムの作用を説明するフローチャート、図１７は図１６の処理を説明する第１の図、図１８は図１６の処理を説明する第２の図である。
【００１４】
図１に示すように、本実施例のアプリケーション起動管理システムである院内管理システム１０１は、手術室等に設けられる手術管理システム１０２と、検査室等に設けられる検査管理システム１０３と、これらシステムをネットワーク化すると共に外部ネットワーク１０４と通信可能なネットワーク管理システム１０５と、手術管理システム１０２、検査管理システム１０３及びネットワーク管理システム１０５が操作可能で携帯可能な携帯端末システム１０６等（本実施例の携帯端末は、アプリケーションソフトが起動可能なWindows（登録商標）やその他のリアルタイムＯＳが搭載されたコンピュータを指し、ＰＤＡやタブレットＰＣ、ノートＰＣ等でもよい）から構成される。
【００１５】
携帯端末システム１０６は各システムと例えば無線通信にて交信可能に構成されており、図２に示すように、例えば手術管理システム１０２の無線通信領域１０７内に携帯端末システム１０６が入ることで、手術管理システム１０２と携帯端末システム１０６との通信が可能となる（本実施例では無線通信で構成されたネットワークで説明しているが、有線のＥｔｈｅｒｎｅｔ（登録商標）やＲＳ−２３２Ｃのようなシステムでも良い。このときは無線通信領域はコネクタを接続し、通信を開始するときを指す）。
【００１６】
なお、手術管理システム１０２は、手術に使用される医療機器を制御する医療機器制御システム１０２ａと、手術に関する情報を記録／提供する機器（手術映像撮影機器、ＤＶＤレコーダ等）を制御する情報機器制御システム１０２ｂから構成される。
【００１７】
上記医療機器制御システム１０２ａは、図３に示すように、患者３が横たわる手術台２の両側に第１のトロリー４及び第２のトロリー５とが配置され、これらの両トロリー４、５には観察、検査、処置、記録などを行う複数の内視鏡周辺機器が搭載されている。
【００１８】
第１のトロリー４には、第１のＴＶカメラ装置６、第１の光源装置７、高周波焼灼装置（以下、電気メス）８、気腹装置９、超音波観測装置１０、プリンタ１１、第１のモニタ１２、非滅菌域に配置されナースが医療機器の操作を集中して行う図示しないマウスとタッチパネル等のポインティングデバイスを有した集中操作パネル１４、システムコントローラ１５等が搭載され、それぞれの機器は、図示しないシリアルインターフェイスケーブルを介してシステムコントローラ１５と接続され、双方向通信を行えるようになっている。また、システムコントローラ１５には、マイク１８が接続できるようになっており、システムコントローラ１５はマイク１８から入力された音声を音声認識回路（図示せず）により認識し、術者の音声により各機器を制御できるようになっている。
【００１９】
第１の光源装置７は照明光を伝送するライトガイドケーブル１６を介して第１の内視鏡１７に接続され、第１の光源装置７の照明光を第１の内視鏡１７のライトガイドに供給し、この第１の内視鏡１７の挿入部が刺入された患者３の腹部内の患部等を照明する。
【００２０】
この第１の内視鏡１７の接眼部には撮像素子を備えた第１のカメラヘッド１９が装着され、第１の内視鏡１７の観察光学系による患部等の光学像を第１のカメラヘッド１９内の撮像素子で撮像し、カメラケーブル２０を介して第１のＴＶカメラ装置６に伝送し、第１のＴＶカメラ装置６内の信号処理回路で信号処理して、映像信号を生成し、システムコントローラ１５を介して第１のモニタ１２に出力して患部等の内視鏡画像を表示できるようにしている。
【００２１】
システムコントローラ１５には、図示しないＭＯ等の外部媒体記録装置が内蔵されており、外部記録媒体（ＭＯ）に記録された画像を第１のモニタ１２に出力して表示できるようにしている。
【００２２】
また、システムコントコーラ１５には、図示しない病院内に設けられた院内ネットと図示しないケーブルで接続され、院内ネット上の画像データ等を第１のモニタ１２に出力して表示できるようにしている。
【００２３】
気腹装置９にはＣＯ2ボンベ２１が接続され、気腹装置９から患者３に延びた気腹チューブ２２を介して患者３の腹部内にＣＯ2ガスを供給できるようにしている。
【００２４】
第２のトロリー５には、第２のＴＶカメラ装置２３、第２の光源装置２４、超音波処置装置２５、ＶＴＲ２６  第２のディスプレイ２７、砕石装置２８、ポンプ３９、シェーバ３０及び中継ユニット２９等が搭載され、それぞれの機器は図示しないケーブルで中継ユニット２９に接続され、双方向の通信が可能になっている。
【００２５】
第２の光源装置２４は照明光を伝送するライトガイドケーブル３１を介して第２の内視鏡３２に接続され、第２の光源装置２４の照明光を第２の内視鏡３２のライトガイドに供給し、この第２の内視鏡３２の挿入部が刺入された患者３の腹部内の患部等を照明する。
【００２６】
この第２の内視鏡３２の接眼部には撮像素子を備えた第２のカメラヘッド３３が装着され、第２の内視鏡３２の観察光学系による患部等の光学像を第２のカメラヘッド３３内の撮像素子で撮像し、カメラケーブル３４を介して第２のＴＶカメラ装置２３に伝送し、第２のＴＶカメラ装置２３内の信号処理回路で信号処理して、映像信号を生成し、第２のモニタ２７に出力して患部等の内視鏡画像を表示できるようにしている。
【００２７】
システムコントローラ１５と中継ユニット２９はシステムケーブル３５で接続されている。
【００２８】
さらに、システムコントローラ１５には術者が滅菌域から機器操作を行う術者用リモートコントローラ（以下、リモコンと記す）３６が接続されている。
【００２９】
図４に示すように、第１のＴＶカメラ装置６、第１の光源装置７、電気メス８、気腹装置９、プリンタ１１及び超音波観測装置１０はそれぞれ通信ケーブル３８によりシステムコントローラ１５の通信Ｉ／Ｆ４１と接続され、データの送受を行うようになっており、また、第１のモニタ１２、第１のＴＶカメラ装置６、プリンタ１１及び超音波観測装置１０は映像ケーブル３９によりシステムコントローラ１５のディスプレイＩ／Ｆ４２に接続され映像信号を送受できるようになっている。
【００３０】
第２のＴＶカメラ装置２３、第２の光源装置２４、超音波処置装置２５、ＶＴＲ２６、砕石装置２８、シェーバ３０及びポンプ３７は、通信ケーブル３８により中継ユニット２９に接続され、データの送受を行うようになっており、また、第２のモニタ２７、第２のＴＶカメラ装置２３及びＶＴＲ２６は映像ケーブル３９により中継ユニット２９接続され映像信号を送受できるようになっている。
【００３１】
また、中継ユニット２９はケーブル３５（図３参照）によりシステムコントローラ１５と接続され、ケーブル３５内の通信ケーブル３８を介してシステムコントローラ１５の通信Ｉ／Ｆ４１に接続され、ケーブル３５内の映像ケーブル３を介してシステムコントローラ１５のディスプレイＩ／Ｆ４２に接続されている。
【００３２】
システムコントローラ１５は、上記通信Ｉ／Ｆ４１、ディスプレイＩ／Ｆ４２の他に、マイク１８からの音声信号を認識する音声認識回路４６と、リモコン３６とのデータの送受を行うリモコンＩ／Ｆ４４、音声を合成しスピーカ４８より音声を発せさせる音声合成回路４７、集中操作パネル１４とのデータの送受を行う集中操作パネルＩ／Ｆ４３と、携帯端末システム１０６とのデータの送受を無線で行う無線通信Ｉ／Ｆ１０６ａとを備え、これら各回路がＣＰＵ４５により制御されている。また、システムコントローラ１５には外部記録媒体４５が接続可能となっており、ＣＰＵ４５より画像データを外部記録媒体（図示せず）に記録・再生できるようになっている。
【００３３】
携帯端末システム１０６は、図５に示すように、携帯可能なモバイルコンピュータから構成され、このモバイルコンピュータには、情報処理部１１０、情報表示部１１２、情報入力部１１３、情報格納部１１４、無線通信Ｉ／Ｆ１１５、アプリケーション検知ファイル格納部１１６が構築されいる。
【００３４】
情報処理部１１０では、複数のアプリケーションソフトウエア、例えば手術管理システム１０２の各機器を制御するための機器集中制御アプリケーション１２０、手技の費用等を算出するコスト算出アプリケーション１２１、手術管理システム１０２の各機器の操作履歴等を管理する手術履歴アプリケーション１２２、ネットワーク管理システム１０５によるネット接続を管理するネット接続アプリケーション１２３が起動可能となっている。
【００３５】
また、情報処理部１１０は、手術管理システム１０２、検査管理システム１０３及びネットワーク管理システム１０５との無線交信により、これらシステムと連携して起動するアプリケーションソフトウエアを検知するアプリケーション検知部１２４を有している。
【００３６】
アプリケーション検知ファイル格納部１１６には、アプリケーション検知部１２４によりシステムと連携して起動するアプリケーションソフトウエアを検知するための複数の検知ファイル、例えば機器集中制御用検知ファイル１３０、コスト算出用検知ファイル１３１、手術履歴用検知ファイル１３２、ネット接続用検知ファイル１３３が格納されている。
【００３７】
手術管理システム１０２は、図６に示すように、パーソナルコンピュータから構成され、このパーソナルコンピュータには、情報処理部１４０、情報表示部１４２、情報入力部１４３、情報格納部１４４、無線通信Ｉ／Ｆ１４５、アプリケーション検知ファイル格納部１４６が構築されいる。
【００３８】
情報処理部１４０では、機器集中制御アプリケーション１２０、手術履歴アプリケーション１２２が起動可能となっている。また、情報処理部１４０は、携帯端末システム１０６との無線交信により、携帯端末システム１０６と連携して起動するアプリケーションソフトウエアを検知するアプリケーション検知部１２４を有している。
【００３９】
アプリケーション検知ファイル格納部１４６には、アプリケーション検知部１２４によりシステムと連携して起動するアプリケーションソフトウエアを検知するための複数の検知ファイル、例えば機器集中制御用検知ファイル１３０、手術履歴用検知ファイル１３２が格納されている。
【００４０】
検査管理システム１０３は、図７に示すように、パーソナルコンピュータから構成され、このパーソナルコンピュータには、情報処理部１５０、情報表示部１５２、情報入力部１５３、情報格納部１５４、無線通信Ｉ／Ｆ１５５、アプリケーション検知ファイル格納部１５６が構築されいる。
【００４１】
情報処理部１５０では、コスト算出アプリケーション１２１、手術履歴アプリケーション１２２が起動可能となっている。また、情報処理部１５０は、携帯端末システム１０６との無線交信により、携帯端末システム１０６と連携して起動するアプリケーションソフトウエアを検知するアプリケーション検知部１２４を有している。
【００４２】
アプリケーション検知ファイル格納部１５６には、アプリケーション検知部１２４によりシステムと連携して起動するアプリケーションソフトウエアを検知するための複数の検知ファイル、例えばコスト算出用検知ファイル１３１、手術履歴用検知ファイル１３２が格納されている。
【００４３】
ネットワーク管理システム１０５は、図８に示すように、パーソナルコンピュータから構成され、このパーソナルコンピュータには、情報処理部１６０、情報表示部１６２、情報入力部１６３、情報格納部１６４、無線通信Ｉ／Ｆ１６５、アプリケーション検知ファイル格納部１６６が構築されいる。
【００４４】
情報処理部１６０では、コスト算出アプリケーション１２１、手術履歴アプリケーション１２２、ネット接続アプリケーション１２３が起動可能となっている。また、情報処理部１６０は、携帯端末システム１０６との無線交信により、携帯端末システム１０６と連携して起動するアプリケーションソフトウエアを検知するアプリケーション検知部１２４を有している。
【００４５】
アプリケーション検知ファイル格納部１６６には、アプリケーション検知部１２４によりシステムと連携して起動するアプリケーションソフトウエアを検知するための複数の検知ファイル、例えばコスト算出用検知ファイル１３１、手術履歴用検知ファイル１３２、ネット接続用検知ファイル１３３が格納されている。
【００４６】
機器集中制御用検知ファイル１３０は、図９に示すように、共通プロファイル部２０１と、個別プロファイル部２０２とから構成されている。
【００４７】
また、手術履歴用検知ファイル１３１は、図１０に示すように、共通プロファイル部２０１と、個別プロファイル部２０３とから構成されている。
【００４８】
さらに、コスト算出用検知ファイル１３２は、図１１に示すように、共通プロファイル部２０１と、個別プロファイル部２０４とから構成されている。
【００４９】
同様に、ネット接続用検知ファイル１３３は、図１２に示すように、共通プロファイル部２０１と、個別プロファイル部２０５とから構成されている。
【００５０】
各検知ファイルの共通プロファイル部２０１は、ヘッダ情報、アプリケーションを識別するためのアプリケーションＩＤである「システムＩＤ＿１」及び接続要求コマンドからなる第１のパケット情報と、ヘッダ情報、アプリケーションを識別するためのアプリケーションＩＤである「システムＩＤ＿１」、該アプリケーションで選択可能な情報である選択機能情報及びバージョン情報からなる第２のパケット情報とから構成される。
【００５１】
なお、各検知ファイルの個別プロファイル部２０２は、ヘッダ情報、アプリケーションを識別するためのアプリケーションＩＤである「システムＩＤ＿１」に続いて、各アプリケーションのプロトコルの情報から構成される。
【００５２】
このように構成された本実施例の作用について、手術管理システム１０２と携帯端末システム１０６間を例に説明する。
【００５３】
手術管理システム１０２は、図１３に示すように、ステップＳ１にて無線交信エリアに検知ファイルの共通プロファイル部２０１を送信し、ステップＳ２にて携帯端末システム１０６からの接続要求コマンドの受信を確認する。接続要求コマンドの受信が確認できない場合は、ステップＳ３にて所定時間経過後にステップＳ１に戻り無線交信エリアに検知ファイルの共通プロファイル部２０１を送信する。
【００５４】
携帯端末システム１０６からの接続要求コマンドの受信が確認される、すなわち携帯端末システム１０６が無線交信エリア内に存在することが確認されると、ステップＳ４にてスリープモードにあるシステム状態を解除する。
【００５５】
そして、ステップＳ５にて携帯端末システム１０６からの共通プロファイル部２０１の選択機能情報を取得し携帯端末システム１０６で選択されたアプリケーションソフトウエアを確認できたかどうか判断し、選択されたアプリケーションソフトウエアが確認できると、ステップＳ６にて個別プロファイルを交信／判別し、ステップＳ７にて選択されたアプリケーションソフトウエアを起動する。その後、ステップＳ８にて選択されたアプリケーションソフトウエアによる専用のプロトコルにて携帯端末システム１０６と無線交信にて通信制御する。
【００５６】
アプリケーションソフトウエアによる専用のプロトコルの制御フローの一例を図１４及び図１５に示す。図１４では、医療機器の制御フローであって通信ラグが数ｍｓｅｃといった短い時間で管理されるのに対して、情報機器の制御フローでは通信ラグが数ｓｅｃといったラフな時間で管理される。
【００５７】
一方、携帯端末システム１０６は、図１６に示すように、ステップＳ１１にて手術管理システム１０２からの共通プロファイル部２０１を受信し、ステップＳ１２にて手術管理システム１０２からの接続要求コマンドの受信を確認する。接続要求コマンドの受信が確認できない場合は、ステップＳ１３にて所定時間経過後にステップＳ１１に戻る。
【００５８】
手術管理システム１０２からの接続要求コマンドの受信が確認されると、ステップＳ１４にてスリープモードにあるシステム状態を解除する。
【００５９】
そして、ステップＳ１５にて手術管理システム１０２からの共通プロファイル部２０１の選択機能情報（選択可能なアプリケーション）を取得し、図１７に示すように、手術管理システム１０２で使用（起動）可能なアプリケーションソフトウエアの一覧からなる選択画面を情報表示部１１２に表示する。このアプリケーションソフトウエアの一覧から図１８に示すように、所望のアプリケーションソフトウエアの選択をステップＳ１６にて待ち、所望のアプリケーションソフトウエアの選択が選択されると、ステップＳ１７にて選択機能情報（選択されたアプリケーション）を送信し、ステップＳ１８にて選択されたアプリケーションを起動し、ステップＳ１９にて選択されたアプリケーションソフトウエアによる専用のプロトコルにて手術管理システム１０２と無線交信にて通信制御する。
【００６０】
このように本実施例では、複数のシステムが混在しても、各システムに簡単にアクセスでき、また、検知ファイルを用いて起動可能なアプリケーションを１つのプラットホームで管理することができるので、異なる複数のシステムのアプリケーションを１つの端末機器上の統合プラットホームにて簡単に起動することが可能となる。
【実施例２】
【００６１】
図１９ないし図２３は本発明の実施例２に係わり、図１９は携帯端末システムの構成を示すブロック図、図２０は図１９の携帯端末システムと通信可能な手術管理システムの構成を示すブロック図、図２１は図１９の機器集中制御用カメラ検知ファイルの構成を示す図、図２２は図１９の携帯端末システムの情報表示部の表示例を示す第１の図、図２３は図１９の携帯端末システムの情報表示部の表示例を示す第２の図である。
【００６２】
実施例２は、実施例１とほとんど同じであるので、異なる点のみ説明し、同一の構成には同じ符号をつけ説明は省略する。
【００６３】
図１９に示すように、本実施例の携帯端末システム１０６のアプリケーション検知ファイル格納部１１には、機器集中制御用検知ファイル１３０の代りに、機器集中制御アプリケーション１２０において制御可能な医療機器を個別に識別するための、医療機器毎の検知ファイル、例えばカメラ装置を検知するための機器集中制御用カメラ検知ファイル１３０ａ、光源装置を検知するための機器集中制御用光源検知ファイル１３０ｂ、気腹装置を検知するための機器集中制御用気腹器検知ファイル１３０ｃ等が設けられている。
【００６４】
そして、この医療機器毎の検知ファイルは、例えば、図２０に示すように、手術管理システム１０２のアプリケーション検知ファイル格納部１４６にも格納されている。
【００６５】
これら医療機器毎の検知ファイル、例えば機器集中制御用カメラ検知ファイル１３０ａの共通プロファイル部２０１は、図２１に示すように、ヘッダ情報、医療機器が制御可能な複数のアプリケーションを識別するためのアプリケーションＩＤである「システムＩＤ＿１」、「システムＩＤ＿２」及び接続要求コマンドからなる第１のパケット情報と、ヘッダ情報、アプリケーションを識別するためのアプリケーションＩＤである「システムＩＤ＿１」、「システムＩＤ＿２」、該アプリケーションで選択可能な情報である選択機能情報及びバージョン情報からなる第２のパケット情報とから構成される。
【００６６】
そして、携帯端末システム１０６と手術管理システム１０２とが交信可能となると、図２２に示すように、選択機能情報に基づき、携帯端末システム１０６の情報表示部１１２に起動可能なアプリケーションの他に、選択したアプリケーションで制御可能な機器を表示し、自動あるいは手動にて選択可能としている。
【００６７】
図２３は携帯端末システム１０６と検査管理システム１０３とが交信可能となった際の、携帯端末システム１０６の情報表示部１１２の表示例を示している。
【００６８】
その他の構成及び作用は実施例１と同じである。
【００６９】
このように本実施例では、実施例１の効果に加え、制御可能な複数の機器を１つの統合プラットホームで管理できる。
【実施例３】
【００７０】
図２４ないし図２７は本発明の実施例３に係わり、図２４は手術室内に構築されるシステムを示す図、図２５は図２４のシステム間で連携される患者情報ファイルの構成を示す図、図２６は図２４の手術管理システムの作用を説明するフローチャート、図２７は図２６の処理で手術管理システムの端末装置に表示される表示例を示す図である。
【００７１】
実施例３は、実施例１とほとんど同じであるので、異なる点のみ説明し、同一の構成には同じ符号をつけ説明は省略する。
【００７２】
図２４に示すように、手術室においては携帯端末システム１０６、手術管理システム１０２の他に、手術の様子を撮影する手術撮影システム３０１、手術管理システム１０２及び手術撮影システム３０１で得られた画像データ等の情報を記録する情報記録システム３０２、また他の医療情報（例えば遠隔支援情報、ＣＴ画像等の参照医療情報）を提供する他システム３０３等が混在する場合があり、このような場合、これらシステムは室内ネットワークにより接続される（このネットワークは、共通のＥｔｈｅｒｎｅｔ（登録商標）で接続されても良いし、やＲＳ−２３２Ｃ、Ｅｔｈｅｒｎｅｔ（登録商標）、ＵＳＢ、無線といった複数の通信が混在しても良い。そのときは、図２５のヘッダ部が変更され、各種通信を行うので共通のプロファイル部は変わらない）。
【００７３】
このとき、従来は、各システムにおいて、患者情報をそれぞれに設けられたタッチパネル（Ｔ．Ｐ．）機能を有する端末装置３１０より個別に入力しいた。
【００７４】
本実施例では、各システムに患者情報連携アプリケーションをインストールすることで、１つの端末装置３１０から入力した患者情報を患者情報ファイル３１１として各システムで情報を連携できるようにしている。
【００７５】
この患者情報ファイル３１１は、図２５に示すように、共通プロファイル部４０１と、個別プロファイル部４０２とから構成されている。
【００７６】
この共通プロファイル部４０１は、ヘッダ情報、患者情報連携アプリケーションを識別するためのアプリケーションＩＤである「システムＩＤ＿５」及び接続要求コマンドからなる第１のパケット情報と、ヘッダ情報、患者情報連携アプリケーションを識別するためのアプリケーションＩＤである「システムＩＤ＿５」、該アプリケーションで選択可能な情報である選択機能情報及びバージョン情報からなる第２のパケット情報とから構成される。
【００７７】
患者情報連携アプリケーションでは、例えば手術管理システム１０２の端末装置３１０より患者情報が入力されると、手術管理システム１０２にて患者情報ファイル３１１が生成される。そして、例えば図２６に示すように、ステップＳ３１にて患者情報ファイル３１１の共通プロファイル部４０１を室内ネットワークに接続されているシステムに送信し、ステップＳ３２にて連携可能なシステムを検知する。連携可能なシステムが検知できない場合はステップＳ３３にて所定時間待機した後、ステップＳ３１に戻る。
【００７８】
連携可能なシステムが検知されると、ステップＳ３４にて患者情報を自動連携するかどうか判断する。この自動連携の判断は、例えば手術管理システム１０２において予め設定されている状態により判断される。
【００７９】
そして、患者情報を自動連携する場合は、ステップＳ３５にて連携可能なシステム及び機器に患者情報ファイル３１１全体（共通プロファイル部４０１＋個別プロファイル部４０２）を送信することで、全ての連携可能なシステム及び機器への患者情報の入力が行われ、処理を終了する。
【００８０】
一方、患者情報を自動連携しない場合は、ステップＳ３６にて、手術管理システム１０２の端末装置３１０上に、図２７に示すように、連携可能なシステム及び機器を表示し、ステップＳ３７にて端末装置３１０上でのシステム及び機器の選択を待つ。
【００８１】
そして、ステップＳ３８にて選択されたシステム及び機器に患者情報ファイル３１１全体（共通プロファイル部４０１＋個別プロファイル部４０２）を送信することで、選択された連携可能なシステム及び機器への患者情報の入力が行われ、処理を終了する。
【００８２】
このように本実施例では、実施例１の効果に加え、患者情報を１つの端末装置からの入力で、連携可能なシステム全てに入力することが可能となる（ここでは患者情報の例を示したが、これが時間情報を含ませることで、時刻合わせでも同様な効果を得ることができる）。
【００８３】
本発明は、上述した実施例に限定されるものではなく、本発明の要旨を変えない範囲において、種々の変更、改変等が可能である。
【図面の簡単な説明】
【００８４】
【図１】本発明の実施例１に係る院内管理システムの構成を示す構成図
【図２】図１の携帯端末システムの各システムとの無線通信エリアを説明する図
【図３】図２の医療機器制御システムの構成を示す構成図
【図４】図３の医療機器制御システムの各機器の接続関係を示すブロック図
【図５】図１の携帯端末システムの構成を示すブロック図
【図６】図１の手術管理システムの構成を示すブロック図
【図７】図１の検査管理システムの構成を示すブロック図
【図８】図１のネットワーク管理システムの構成を示すブロック図
【図９】図５の機器集中制御用検知ファイルの構成を示す図
【図１０】図５の手術履歴用検知ファイルの構成を示す図
【図１１】図５のコスト算出用検知ファイルの構成を示す図
【図１２】図５のネット接続用検知ファイルの構成を示す図
【図１３】図６の手術管理システムの作用を説明するフローチャート
【図１４】図１３の専用プロトコル処理の流れを示す第１の図
【図１５】図１３の専用プロトコル処理の流れを示す第２の図
【図１６】図５の携帯端末システムの作用を説明するフローチャート
【図１７】図１６の処理を説明する第１の図
【図１８】図１６の処理を説明する第２の図
【図１９】本発明の実施例２に係る携帯端末システムの構成を示すブロック図
【図２０】図１９の携帯端末システムと通信可能な手術管理システムの構成を示すブロック図
【図２１】図１９の機器集中制御用カメラ検知ファイルの構成を示す図
【図２２】図１９の携帯端末システムの情報表示部の表示例を示す第１の図
【図２３】図１９の携帯端末システムの情報表示部の表示例を示す第２の図
【図２４】本発明の実施例３に係る手術室内に構築されるシステムを示す図
【図２５】図２４のシステム間で連携される患者情報ファイルの構成を示す図
【図２６】図２４の手術管理システムの作用を説明するフローチャート
【図２７】図２６の処理で手術管理システムの端末装置に表示される表示例を示す図
【符号の説明】
【００８５】
１０１…院内管理システム
１０２…手術管理システム
１０３…検査管理システム
１０４…外部ネットワーク
１０５…ネットワーク管理システム
１０６…携帯端末システム
１１０…情報処理部
１１２…情報表示部
１１３…情報入力部
１１４…情報格納部
１１５…無線通信Ｉ／Ｆ
１１６…アプリケーション検知ファイル格納部
１２０…機器集中制御アプリケーション
１２１…コスト算出アプリケーション
１２２…手術履歴アプリケーション
１２３…ネット接続アプリケーション
１２４…アプリケーション検知部
１３０…機器集中制御用検知ファイル
１３１…コスト算出用検知ファイル
１３２…手術履歴用検知ファイル
１３３…ネット接続用検知ファイル
２０１…共通プロファイル部
２０２、２０３、２０４、２０５…個別プロファイル部
【図１】
2007080094.tif 000003
【図２】
2007080094.tif 000004
【図３】
2007080094.tif 000005
【図４】
2007080094.tif 000006
【図５】
2007080094.tif 000007
【図６】
2007080094.tif 000008
【図７】
2007080094.tif 000009
【図８】
2007080094.tif 000010
【図９】
2007080094.tif 000011
【図１０】
2007080094.tif 000012
【図１１】
2007080094.tif 000013
【図１２】
2007080094.tif 000014
【図１３】
2007080094.tif 000015
【図１４】
2007080094.tif 000016
【図１５】
2007080094.tif 000017
【図１６】
2007080094.tif 000018
【図１７】
2007080094.tif 000019
【図１８】
2007080094.tif 000020
【図１９】
2007080094.tif 000021
【図２０】
2007080094.tif 000022
【図２１】
2007080094.tif 000023
【図２２】
2007080094.tif 000024
【図２３】
2007080094.tif 000025
【図２４】
2007080094.tif 000026
【図２５】
2007080094.tif 000027
【図２６】
2007080094.tif 000028
【図２７】
2007080094.tif 000029